(57)【要約】【課題】容器本体に対して蓋体を留めるシールが不要となる紙製容器を提供する。【解決手段】円筒状の周壁部１２を備えた有底円筒状の容器本体２が、該容器本体２の開口部を閉鎖する蓋体３により覆われない前記周壁部１２の露出部１２ｂの、互いに対向する部位に、スリット１８をそれぞれ備えてなり、前記蓋体３上を介して両端の差込片部３６をスリット１８に差し込むことによって、該蓋体３で容器本体２の開口部を閉鎖状態で保持する長平材４を備えた構成である。【選択図】図１
0003227421.tif 000002
【実用新案登録請求の範囲】
【請求項１】
円形状の底部と、該底部の外縁部から立ち上がる円筒状の周壁部とで構成され、該周壁部の上端で上方開口する開口部を有した紙製の容器本体と、
円形状の天頂部と該天頂部の外縁に形成された円環状の嵌合周部とで構成され、該嵌合周部が、前記容器本体の周壁部に外嵌された状態で前記容器本体の開口部を閉鎖する紙製の蓋体と
を備えた紙製容器であって、
前記容器本体の周壁部のうち、前記蓋体の嵌合周部に覆われない露出部には、少なくとも一対のスリットがそれぞれ互いに対向するように設けられてなり、
さらに、紙製の長平材を備え、前記長平材の両端には、前記容器本体の各スリットに差し込まれる差込片部がそれぞれ設けられ、前記長平材が前記蓋体の天頂部上を介して配置された状態で前記差込片部が該容器本体の各スリットにそれぞれ差し込まれることによって、該容器本体の開口部を閉鎖している該蓋体を保持するものであることを特徴とする紙製容器。
【請求項２】
長平材は、
蓋体の外径と略同じ長さで設けられ、該蓋体の天頂部上に配される主積み上げ部と、
主積み上げ部の両側縁から下方へそれぞれ延成されてなる側平部と
を備え、
前記側平部の各先端に差込片部がそれぞれ設けられていることを特徴とする請求項１に記載の紙製容器。
【請求項３】
容器本体の周壁部に設けられたスリットは、該周壁部の周方向に沿って形成されており、
長平材の両端に設けられた差込片部は、
前記スリットを介して容器本体内部側に差し込まれることで、前記スリットの下方に配される差込下部と、
該差込下部の上縁から上方へ連成されてなり、前記スリットを介して容器本体内部側に差し込まれることで前記スリットの上方に配される差込上部と
を備えていることを特徴とする請求項１又は請求項２に記載の紙製容器。
【請求項４】
長平材における両差込片部の間に、該長平材を分断するための易切断部が設けられていることを特徴とする請求項１乃至請求項３のいずれか１項に記載の紙製容器。
【請求項５】
開口部を有した紙製の容器本体と、前記容器本体の開口部を閉鎖する紙製の蓋体とを備えた紙製容器であって、
前記容器本体及び前記蓋体のうち一方には、スリットが設けられており、前記容器本体及び前記蓋体のうち他方には、前記スリットに差し込まれる差込片部が設けられており、
前記差込片部は、
前記スリットを介して容器本体内部側又は蓋体内部側に差し込まれることで、前記スリットの一側に配される一側差込部と、
該一側差込部の一縁から一方へ連成されてなり、前記スリットを介して容器本体内部側又は蓋体内部側に差し込まれることで前記スリットの他側に配される他側差込部と
を備えていることを特徴とする紙製容器。
【請求項６】
開口部を有した紙製の容器本体と、前記容器本体の開口部を閉鎖する紙製の蓋体とを備えた紙製容器であって、
前記容器本体及び前記蓋体のうち一方には、少なくとも一対のスリットがそれぞれ互いに対向するように設けられており、
さらに、紙製の長平材を備え、前記長平材の両端には、前記スリットに差し込まれる差込片部がそれぞれ設けられ、前記長平材が前記容器本体及び前記蓋体のうち他方の上を介して配置された状態で前記差込片部が前記容器本体又は前記蓋体の各スリットにそれぞれ差し込まれることによって、該容器本体の開口部を閉鎖している該蓋体を保持するものであり、
前記差込片部は、
前記スリットを介して容器本体内部側又は蓋体内部側に差し込まれることで、前記スリットの一側に配される一側差込部と、
該一側差込部の一縁から一方へ連成されてなり、前記スリットを介して容器本体内部側又は蓋体内部側に差し込まれることで前記スリットの他側に配される他側差込部と
を備えていることを特徴とする紙製容器。
【請求項７】
差込片部の近傍部分に、該近傍部分を分断するための易切断部が設けられていることを特徴とする請求項５又は請求項６に記載の紙製容器。
【請求項８】
前記スリットが設けられた容器本体又は蓋体が多面体で構成されており、互いに隣り合う壁面部と壁面部とが突き合わされてなる角辺部上に前記スリットが設けられ、
前記差込片部が前記スリットを介して容器本体内部側又は蓋体内部側に差し込まれることで、前記一側差込部が一方の壁面部に当接し、前記他側差込部が他方の壁面部に当接する
請求項５乃至請求項７のいずれか１項に記載の紙製容器。
【請求項９】
前記スリットが設けられた容器本体又は蓋体の周壁部が、外壁と内壁とからなる二重壁構造であって、前記スリットは前記外壁に形成されており、前記内壁には、前記スリットが臨む取り外し用開口部が形成されている
請求項５乃至請求項８のいずれか１項に記載の紙製容器。
【考案の詳細な説明】
【技術分野】
【０００１】
本考案は、容器本体と、該容器本体の上方開口を閉鎖する蓋体とを備えた紙製容器に関する。
【背景技術】
【０００２】
紙製容器として、上方に開口する開口部を備えた有底円筒状の容器本体と、該容器本体の開口部を閉鎖する蓋体とを備えた構成が知られている。かかる従来構成は、蓋体により容器本体の開口部を閉鎖した状態を保持するために、蓋体の側部と容器本体の側部とにシールなどが貼付される（例えば、特許文献１参照）。そして一般的に、前記シールを蓋体の嵌合周部と容器本体の周壁部とに貼付し易く且つ貼付状態で維持し易いように、容器本体の外径寸法と蓋体の外径寸法との差が可及的に小さく形成されている。
【先行技術文献】
【特許文献】
【０００３】
【特許文献１】実用新案登録第３１９０５４２号公報
【考案の概要】
【考案が解決しようとする課題】
【０００４】
しかしながら、シールを貼付する作業は煩雑であり、貼付ミスがあるとその容器はロスとなってしまう問題がある。また、シールを剥がして開封することも煩わしく、かかる問題を解決できる構成が求められている。
【０００５】
本考案は、蓋体を容器本体に留めるためのシールが不要となる紙製容器を提案するものである。
【課題を解決するための手段】
【０００６】
第一の本考案は、円形状の底部と、該底部の外縁部から立ち上がる円筒状の周壁部とで構成され、該周壁部の上端で上方開口する開口部を有した紙製の容器本体と、円形状の天頂部と該天頂部の外縁に形成された円環状の嵌合周部とで構成され、該嵌合周部が、前記容器本体の周壁部に外嵌された状態で前記容器本体の開口部を閉鎖する紙製の蓋体とを備えた紙製容器であって、前記容器本体の周壁部のうち、前記蓋体の嵌合周部に覆われない露出部には、少なくとも一対のスリットがそれぞれ互いに対向するように設けられてなり、さらに、紙製の長平材を備え、前記長平材の両端には、前記容器本体の各スリットに差し込まれる差込片部がそれぞれ設けられ、前記長平材が前記蓋体の天頂部上を介して配置された状態で前記差込片部が該容器本体の各スリットにそれぞれ差し込まれることによって、該容器本体の開口部を閉鎖している該蓋体を保持するものであることを特徴とする紙製容器である。
【０００７】
本構成は、長平材によって、蓋体と容器本体との前記蓋閉じ状態が保持されることから、蓋体と容器本体とに貼付されるシールを要しない。そのため、このシールにかかるコストを削減することができる。総じて、長平材に要するコストの上昇を、該シール不要によるコスト削減により抑制できる。
【０００８】
また、かかる構成にあっては、蓋体の嵌合周部を容器本体の周壁部に外嵌して該容器本体の開口部が閉鎖された状態（以下、蓋閉じ状態という）で、該容器本体の各スリットにそれぞれ差し込まれた長平材が該蓋体の天頂部上に配される。このため、複数の当該容器を上下に積み上げる際に、下側の長平材上に上側の容器本体を載置するため、比較的安定して積み上げることができ、かつ積み上げられた状態を比較的安定して保つことができる。これにより、本考案の紙製容器を上下に積み上げる際に、比較的容易に積み上げることができると共に、積み上げる際に崩れてしまうことを抑制できる。
【０００９】
また、本構成は、両端に差込片部が設けられた簡素形状の長平材を採用するものであり、製造に要するコストの上昇を抑制でき、見栄えも良い。さらに、積み上げる際に別部材のパッドを配するという手間を要しないと共に、客にとって不必要なパッドを、該客が取り除かねばならないという状況も生じない。
【００１０】
前述した本考案の紙製容器にあって、長平材は、蓋体の外径と略同じ長さで設けられ、該蓋体の天頂部上に配される主積み上げ部と、主積み上げ部の両側縁から下方へそれぞれ延成されてなる側平部とを備え、前記側平部の各先端に差込片部がそれぞれ設けられている構成が提案される。
【００１１】
かかる構成にあっては、蓋体の天頂部上に配される長平材の主積み上げ部によって、複数の当該紙製容器を上下方向に安定して積み上げることができ、前述した本考案の作用効果が安定して発揮される。さらに、本構成にあっては、長平材の側平部が容器本体の周壁部と蓋体の嵌合周部と外側に配されることから、該側平部を下面として当該紙製容器を横置きすることができる。そして、横置きした場合にも、長平材により前記蓋閉じ状態で安定して保持され得る。ここで、一般的な円筒状の容器は、横置きした場合に転がり易く、安定して配置することが困難であるが、本考案の容器は、前述のように長平材の側平部によって安定して横置きできる。
したがって、本構成によれば、縦に積み重ねて陳列するだけでなく、横置きで陳列することもできるため、陳列する場所に応じて縦置きと横置きとを選択できるという優れた利点を有する。
【００１２】
前述した本考案の紙製容器にあって、容器本体の周壁部に設けられたスリットは、該周壁部の周方向に沿って形成されており、長平材の両端に設けられた差込片部は、前記スリットを介して容器本体内部側に差し込まれることで、前記スリットの下方に配される差込下部と、該差込下部の上縁から上方へ連成されてなり、前記スリットを介して容器本体内部側に差し込まれることで前記スリットの上方に配される差込上部とを備えている構成が提案される。
【００１３】
かかる構成にあっては、長平材の差込片部を、容器本体のスリットに比較的容易に差し込みできると共に、該差込片部を該スリットに一旦差し込んでしまうと、取り外し難くなるため、この差し込んだ状態で安定して保持される。本構成の長平材によれば、容器本体と蓋体との前記閉鎖状態を一層安定して保持できる。
【００１４】
前述した本考案の紙製容器にあって、長平材における両差込片部の間に、該長平材を分断するための易切断部が設けられている構成が提案される。
【００１５】
かかる構成によれば、易切断部で長平材を分断できることから、該長平材の差込片部を容器本体のスリットから取り外すこと無く、蓋体と容器本体との嵌合を解除可能な状態（容器本体の開口部を開放可能な状態）とできる。これにより、客が購入後に長平材の易切断部を切断することによって、容器本体に収容された内容物を取り出すことができる。
【００１６】
また、第二の本考案は、開口部を有した紙製の容器本体と、前記容器本体の開口部を閉鎖する紙製の蓋体とを備えた紙製容器であって、前記容器本体及び前記蓋体のうち一方には、スリットが設けられており、前記容器本体及び前記蓋体のうち他方には、前記スリットに差し込まれる差込片部が設けられており、前記差込片部は、前記スリットを介して容器本体内部側又は蓋体内部側に差し込まれることで、前記スリットの一側に配される一側差込部と、該一側差込部の一縁から一方へ連成されてなり、前記スリットを介して容器本体内部側又は蓋体内部側に差し込まれることで前記スリットの他側に配される他側差込部とを備えていることを特徴とする紙製容器である。
【００１７】
かかる構成にあっては、上記構成と同様に、差込片部がスリットから抜けにくいため、容器本体から蓋体が外れにくい構成とすることができる。したがって、蓋体を容器本体に留めるシールが不要となる。また、全体として部品点数が少ない紙製容器となる利点がある。
【００１８】
また第三の本考案は、開口部を有した紙製の容器本体と、前記容器本体の開口部を閉鎖する紙製の蓋体とを備えた紙製容器であって、前記容器本体及び前記蓋体のうち一方には、少なくとも一対のスリットがそれぞれ互いに対向するように設けられており、さらに、紙製の長平材を備え、前記長平材の両端には、前記スリットに差し込まれる差込片部がそれぞれ設けられ、前記長平材が前記容器本体及び前記蓋体のうち他方の上を介して配置された状態で前記差込片部が前記容器本体又は前記蓋体の各スリットにそれぞれ差し込まれることによって、該容器本体の開口部を閉鎖している該蓋体を保持するものであり、前記差込片部は、前記スリットを介して容器本体内部側又は蓋体内部側に差し込まれることで、前記スリットの一側に配される一側差込部と、該一側差込部の一縁から一方へ連成されてなり、前記スリットを介して容器本体内部側又は蓋体内部側に差し込まれることで前記スリットの他側に配される他側差込部とを備えていることを特徴とする紙製容器である。
【００１９】
かかる構成とすることにより、容器本体や蓋体を比較的簡素な構造としつつ、容器本体から蓋体が外れにくい構成とすることが可能となる。したがって、蓋体を容器本体に留めるシールが不要となる。
【００２０】
ここで、差込片部の近傍部分に、該近傍部分を分断するための易切断部が設けられていてもよい。
【００２１】
かかる構成とすることにより、上記と同様に、差込片部をスリットから取り外すこと無く、蓋体と容器本体との嵌合を解除可能な状態（容器本体の開口部を開放可能な状態）とできる。これにより、易切断部を切断することによって、容器本体に収容された内容物を取り出すことができる。
【００２２】
また、前記スリットが設けられた容器本体又は蓋体が多面体で構成されており、互いに隣り合う壁面部と壁面部とが突き合わされてなる角辺部上に前記スリットが設けられ、前記差込片部が前記スリットを介して容器本体内部側又は蓋体内部側に差し込まれることで、前記一側差込部が一方の壁面部に当接し、前記他側差込部が他方の壁面部に当接する構成が提案される。
【００２３】
かかる構成とすることにより、差し込まれた差込片部が、両壁面部間に挟持されて、より一層、両差込部が壁面部に強く押しつけられることとなり、差込片部が大幅にスリットから抜けにくい構造となる。
【００２４】
また、上記の構成にあって、前記スリットが設けられた容器本体又は蓋体の周壁部が、外壁と内壁とからなる二重壁構造であって、前記スリットは前記外壁に形成されており、前記内壁には、前記スリットが臨む取り外し用開口部が形成されている構成が提案される。
【００２５】
かかる構成とすることにより、スリットを介して差し込まれた差込片部の両差込部を、内壁側から取り外し用開口部を介して摘まむことで、差込片部をスリットから容易に抜脱させることが可能となる。
【考案の効果】
【００２６】
第一の本考案にかかる紙製容器によれば、蓋体を容器本体に留めるシールが不要となる効果がある。
【００２７】
また第二の本考案は、全体として簡素な構造で、容器本体から蓋体が外れにくく、前記シールが不要となる効果がある。
【００２８】
また第三の本考案は、容器本体と蓋体を複雑な構造とすることなく、容器本体から蓋体が外れにくく、前記シールが不要となる紙製容器を提供することができる。
【図面の簡単な説明】
【００２９】
【図１】実施例にかかる紙製容器１の、（Ａ）平面図と（Ｂ）正面図である。
【図２】図１（Ａ）のＸ−Ｘ線断面図である。
【図３】紙製容器１の斜視図である。
【図４】紙製容器１の分解斜視図である。
【図５】長平材４の平面図である。
【図６】差込上部４３と差込下部４４とを折曲線４２で折り返した状態を示す斜視図である。
【図７】複数の紙製容器１を積み上げる態様を示す説明図である。
【図８】複数の紙製容器１を積み上げた状態を示す縦断面図である。
【図９】紙製容器１を横置きした状態を示す説明図である。
【図１０】易切断部３５を切り離す態様を示す説明図である。
【図１１】（Ａ）は別例にかかる紙製容器５０の外観斜視図であり、（Ｂ）は、紙製容器５０の部分拡大断面図である。
【図１２】さらに別例にかかる紙製容器６０の部分拡大断面図である。
【考案を実施するための形態】
【００３０】
本考案の実施形態を、以下の実施例に従って説明する。尚、本考案は、以下の実施例に限定されることはなく、適宜設計変更が可能である。また、容器を説明する際には、説明を簡便とするために上下方向を規定して説明しているが、本考案はかかる方向に限定して使用されるものではなく、いずれの使用形態でも本考案に含まれるものである。また、本考案の構成は、紙製であることから、紙同士が重ね合わされた部位を有するが、説明を簡便とするため、該部位については図示省略している。さらに、紙製容器１に収容される内容物については図示を省略する。
【００３１】
図１〜４に示すように、本実施例の紙製容器１は、有底筒状の容器本体２と、該容器本体２の開口部１４を閉鎖する蓋体３と、該蓋体３により該開口部１４を閉鎖した状態で保持する長平材４とを備えたものである。ここで、容器本体２、蓋体３、および長平材４は、全て紙製である。尚、長平材４は、本考案の要部にかかることから、詳細は後述する。
【００３２】
容器本体２は、円形状の底部１１と円筒状の周壁部１２とから構成されており、上方開口する前記開口部１４を有する有底筒状を成す。周壁部１２の下端には、内カール加工された本体カール部１３が周成されている。そして、周壁部１２の本体カール部１３の上部に、前記底部１１の外周縁が当接された状態で、該周壁部１２と底部１１とが接合されている。
【００３３】
蓋体３は、円形状の天頂部２１と円筒状の嵌合周部２２とから構成されており、該嵌合周部２２が前記容器本体２の上部に外嵌可能に形成されている。嵌合周部２２の上端には、内カール加工された蓋カール部２３が周成されている。そして、嵌合周部２２の蓋カール部２３の下部に、前記天頂部２１の外周縁が当接された状態で、該嵌合周部２２と天頂部２１とが接合されている。
【００３４】
ここで、蓋体３は、嵌合周部２２を前記容器本体２の上部に外嵌させた状態で、該容器本体２に対して比較的容易に摺動可能とするように、該嵌合周部２２の内径が前記周壁部１２の外径よりも僅かに大きく設定されている。これにより、蓋体３を容器本体２に比較的容易に嵌め合わせることができると共に、この嵌め合わせた状態から該蓋体３を比較的容易に取り外すことができる。
【００３５】
また、蓋体３にあっては、嵌合周部２２の上下寸法が前記周壁部１２の上下寸法よりも短く設定されている。そのため、容器本体２の周壁部１２は、前記蓋体３により開口部１４が閉鎖された状態（後述の蓋閉じ状態）で、該蓋体３の嵌合周部２２に覆われる被嵌部１２ａと、該嵌合周部２２により覆われない露出部１２ｂとを有する。
【００３６】
こうした容器本体２と蓋体３とは、該蓋体３の嵌合周部２２を該容器本体２の周壁部１２の上部（被嵌部１２ａ）に外嵌させることによって、該容器本体２の開口部１４が該蓋体３により閉鎖される。このように蓋体３を容器本体２の上部に嵌合させて前記開口部１４を閉鎖した状態を、以下では蓋閉じ状態と言う。
【００３７】
尚ここで、蓋閉じ状態としたもの（一対の容器本体２と蓋体３）を上下に積み上げる場合には、下側の蓋体３の蓋カール部２３に、上側の容器本体２の本体カール部１３が接触してしまい、不安定にしか積み上げることができない。これは、前述したように、容器本体２（周壁部１２）の外径に比して、蓋体３（嵌合周部２２）の内径が僅かに大きく設定されるのみで、蓋カール部２３の内側に、容器本体２の下端を配することができないことに因る。
【００３８】
次に、本考案の要部について説明する。
前記の容器本体２は、図４に示すように、周壁部１２の露出部１２ｂに、二つの横向き状のスリット１８，１８が対向状に設けられている。すなわちこれらスリット１８，１８は、前記露出部１２ｂの互いに対向する部位にそれぞれ設けられており、周壁部１２を内外方向に貫通するように切り込まれてなる。
【００３９】
そして各スリット１８は、周壁部１２の周方向に沿う主スリット部１８ａと、該主スリット部１８ａの両端から上方へそれぞれ連成されたスリット端部１８ｂ，１８ｂとから構成されている。
【００４０】
一方、前記の長平材４は、図５に示すように、略長方形状の長平部３１と、該長平部３１の長手方向両端からそれぞれ外方へ延成された差込片部３６，３６とから構成されている。
【００４１】
また、長平部３１は、前記蓋体３の外径と略等しい長さの主積み上げ部３２と、該主積み上げ部３２の長手方向両側方に設けられた側平部３３，３３とを備え、幅方向（長手方向に直交する方向）に亘って設けられた折曲線３４，３４を介して該主積み上げ部３２と側平部３３，３３とが連成されている。
【００４２】
さらに、長平部３１の主積み上げ部３２には、互いに平行な二本のミシン目からなる易切断部３５が前記幅方向に亘って形成されている。この易切断部３５は、そのミシン目により比較的容易に切断することができ、該切断により、長平部３１（長平材４）を長手方向で分割できる（図７参照）。
【００４３】
ここで、長平材４は、後述するように、複数の紙製容器１を積み上げる際に、下側の紙製容器１の蓋体３上に配された主積み上げ部３２の上面に、上側の紙製容器１の容器本体２が載置されるものである。そのため、長平材４の主積み上げ部３２は、その上面に載置される紙製容器１を安定して支持し得る幅寸法で形成される。具体的には、主積み上げ部３２の幅は、蓋体３の外径の１／４〜１／２の範囲とすることが好適である。尚、側平部３３にあっても、主積み上げ部３２と同じ幅で形成されている。
【００４４】
長平材４の差込片部３６は、略台形状に形成されており、前記した容器本体２のスリット１８に差し込み可能に設けられている。すなわち、差込片部３６の幅方向長さは、スリット１８の周方向長さよりも若干短くなっている。
【００４５】
差込片部３６は、側平部３３に連成された連成部４１と、該連成部４１に折曲線４２を介して連成された差込上部４３と、該差込上部４３から側平部３３側へ延出された差込下部４４とを備えた構成であり、該差込下部４４が、連成部４１の内側に切込線４６を介して設けられている。
【００４６】
かかる差込片部３６は、容器本体２のスリット１８に上方から差し込まれて、前記折曲線４２で折り返されることにより（図６参照）、差込上部４３を該スリット１８の上方に配されると共に差込下部４４を該スリット１８の下方に配される（図２参照）。これにより、差込片部３６がスリット１８に差し込まれた状態から容易に解除できず、該状態で安定して保持され得る。
【００４７】
こうした長平材４は、容器本体２の開口部１４を蓋体３により閉鎖した前記蓋閉じ状態で、該蓋体３上を介して、両端の差込片部３６を該容器本体２のスリット１８にそれぞれ差し込むことによって取り付けられる。
【００４８】
すなわち、長平材４は、図４に示すように長平部３１の折曲線３４，３４で折り曲げられて伏コ字形とし、主積み上げ部３２を、前記閉鎖状態とした蓋体３の天頂部２１上に配するようにして、両端の差込片部３６，３６を、容器本体２のスリット１８，１８に周壁部１２の外側からそれぞれ差し込む（図１，３参照）。この際に、容器本体２のスリット１８は、前述したように主スリット部１８ａとスリット端部１８ｂ，１８ｂとからなる形態であるため、前記差込片部３６を比較的容易に差し込むことができる。
【００４９】
そして、差込片部３６をスリット１８に差し込んだ後に、差込上部４３と差込下部４４とを折曲線４２で折り返すことにより（図６参照）、図２に示すように、容器本体２の周壁部１２の内側で、該差込上部４３を該スリット１８の上方に配し且つ該差込下部４４を該スリット１８の下方に配する。これにより、差込片部３６がスリット１８から外れ難くなる。
【００５０】
このように両端の差込片部３６が容器本体２のスリット１８，１８に取り付けられることで、長平材４によって蓋体３と該容器本体２との前記蓋閉じ状態が保持される。そして、長平材４は、その主積み上げ部３２が蓋体３の天頂部２１上に配された状態で保持される。ここで、前述したように蓋体３と容器本体２との蓋閉じ状態で長平材４を取り付けたものが、本実施例の紙製容器１である。
【００５１】
この紙製容器１を上下に複数個積み上げる際には、図７，８に示すように、下側の紙製容器１の蓋体３上に前記長平材４の主積み上げ部３２が配されていることから、該主積み上げ部３２の上面に、上側の紙製容器１の下端部（容器本体２の本体カール部１３）が載置される。これにより、積み上げる際の安定性が向上することから、上下に積み上げられた複数の紙製容器１が崩れてしまうことを抑制できる。さらに、商品として陳列棚などに複数個積み重ねられている場合に、客が一旦手に取った後に元の積み上げられた状態に戻すことも容易である。
【００５２】
また、紙製容器１は、長平材４の側平部３３，３３が、容器本体２の上下方向（軸方向）に沿って配されていることから、一方の側平部３３を下面として横置きすることも可能である。すなわち、陳列棚Ｗなどに横置きする際には、図９に示すように、一方の側平部３３を下面として、該陳列棚の棚上に紙製容器１を載置する。こうして横置きされた状態では、平らな側平部３３が前記棚上に載置されていることから、紙製容器１が左右に転がること無く安定して保たれ、陳列にバリエーションをもたせることが可能となる。
【００５３】
また、紙製容器１は、図１０に示すように、長平材４の易切断部３５を破る箇所の目印としてミシン目で切断することにより、当該長平材４を容易に分断することができる。これにより紙製容器１は、長平材４が両端の差込片部３６，３６を容器本体２のスリット１８，１８から外れ難く、蓋体３と容器本体２との蓋閉じ状態を安定して保持できることに加えて、該長平材４を易切断部３５の切断により容易に分断でき、蓋体３を開閉可能な状態とできる。また、この易切断部３５は、紙製容器１の密封状態を保証する機能を有しており、商品の高級感を向上させる利点もある。このため、かかる紙製容器１において、長平材４を一度切断して開封してしまうと、元に戻せないという開封・改ざん防止の特性がある。また、この長平材４は、取っ手（ハンドル）としての機能も兼ね備えることとなる。
【００５４】
また、長平材４は、前述したように略矩形状の長平部３１と差込片部３６，３６とから構成されるものであり、一枚の紙を所望の形状態に切ることで成形できる。このように長平材４は、前述した従来構成の下端突出部、パッド、およびスタッキングパーツに比して単純な形態であることから、製造に要するコストを低減できる。
【００５５】
さらに、紙製容器１は、前述したように、長平材４の差込片部３６，３６が容器本体２のスリット１８，１８にそれぞれ差し込まれた状態で取り外し難いことから、蓋体３と容器本体２とに貼付するシールを要しない。そのため、このシールにかかるコストを削減できるという利点もあるし、シールを貼ったり剥がしたりする煩わしさがないという利点もある。また、シールの貼付ミスによるロスもない。さらに、差込片部３６がスリット１８に差し込まれた状態で、糊付けも不要である。
【００５６】
前述した本実施例以外にも、紙製容器の形状等は適宜変更することが可能である。例えば、実施例では、蓋体３に蓋カール部２３を設け且つ容器本体２に本体カール部１３を設けた構成あるが、これらカール部に代えて、蓋体の嵌合周部の上端を下方へ折り返してなる折返部や容器本体の周壁部の下端を上方へ折り返してなる折返部を設けた構成とすることもできる。かかる構成にあっても、前述した実施例と同様の作用効果を奏する。
【００５７】
また、長平材４にあっても、長平部３１や差込片部３６の形状は適宜変更することが可能である。例えば、長平部は、主積み上げ部が、その両側部を太幅とし且つ中央部を細幅とする形状とすることも可能である。この構成では、主積み上げ部の両側部上に、他の紙製容器が積み重ねられることから、一層安定して積み上げることができる。
【００５８】
また、差込片部は、例えば略矢印形状のものとすることも可能である。かかる差込片部は、左右両側を折り曲げて容器本体のスリットに差し込んだ後に、左右両側を戻すことによって取り外し難くできる。
【００５９】
また、図１１に示すように、別例としての紙製容器５０が提案される。なお、これまでに述べた構成と共通する要素については、同じ符号を付けて図示及び説明をする。
【００６０】
図１１（Ａ）に示すように、紙製容器５０は、直方体（多面体）の形状で角形の容器本体５２と、容器本体５２の上縁部の一部に連成された矩形状の蓋体５３とを備え、容器本体５２と蓋体５３とが一体式の構造となっている。さらに、容器本体５２の下縁部には、スリット１８が左右方向に一つ形成されている。一方、蓋体５３の先端部には、差込片部３６が一つ連成されており、この差込片部３６が上記のスリット１８を介して容器本体５２の内部側に差込自在となっている。なお、差込片部３６の近傍には、易切断部３５が設けられている。
【００６１】
なお、図１１（Ｂ）に示すように、差込片部３６には、スリット１８を介して容器本体５２の内部側に差し入れられた状態で、上方に突き出される差込上部（一側差込部）４３と、下方に突き出される差込下部（他側差込部）４４とを備えている。
【００６２】
かかる構成にあって、差込片部３６が容器本体５２の内部側に差し入れられた状態では、差込上部４３が容器本体５２の側壁面部５２１に当接し、差込下部４４が容器本体５２の底壁面部５２２に当接する。このように、側壁面部５２１と底壁面部５２２とからなる角辺部にスリット１８が形成されていると、差込片部３６が、両壁面部５２１，５２２間に挟持されて、差込上部４３と差込下部４４とが互いに両壁面部５２１，５２２に押圧されることで差込片部３６がスリット１８から抜けにくくなる。これにより、蓋体５３を容器本体５２に留めるシールが不要となる。
【００６３】
さらに、図１２に示すように、別例にかかる角形の紙製容器６０が提案される。かかる構成は、容器本体６２の周壁部が二重構造となっており、外壁６３ａと内壁６３ｂとを有している。
【００６４】
そして、外壁６３ａにスリット１８が形成され、内壁６３ｂに、スリット１８が臨む寸法で開口した取り外し用開口部６４が形成されている。
【００６５】
かかる構成にあっては、帯状の長平材７０の先端部に形成された差込片部３６がスリット１８を介して容器本体６２の内部側に差し入れられた状態で、外壁６３ａに当接している差込上部４３と差込下部４４とを、取り外し用開口部６４を介して触れることが可能となる。したがって、差込片部３６の折り曲げられた部分を元の状態とすることにより、差込片部３６とスリット１８の周縁との係合状態が解除され、差込片部３６をスリット１８から容易に抜脱させることが可能となる。
【００６６】
なお、上記した別例としての紙製容器５０，６０にあっては、蓋体５３にスリット１８が形成され、容器本体５２に差込片部３６が形成された構造であっても勿論よい。
【符号の説明】
【００６７】
１，５０，６０  紙製容器
２，５２，６２  容器本体
３，５３        蓋体
４，７０        長平材
１１            底部
１２            周壁部
１２ｂ          露出部
１４            開口部
１８            スリット
２１            天頂部
２２            嵌合周部
３２            主積み上げ部
３３            側平部
３５            易切断部
３６            差込片部
４３            差込上部（一側差込部）
４４            差込下部（他側差込部）
６３ａ          外壁
６３ｂ          内壁
６４            取り外し用開口部
５２１          側壁面部
５２２          底壁面部
【図１】
0003227421.tif 000003
【図２】
0003227421.tif 000004
【図３】
0003227421.tif 000005
【図４】
0003227421.tif 000006
【図５】
0003227421.tif 000007
【図６】
0003227421.tif 000008
【図７】
0003227421.tif 000009
【図８】
0003227421.tif 000010
【図９】
0003227421.tif 000011
【図１０】
0003227421.tif 000012
【図１１】
0003227421.tif 000013
【図１２】
0003227421.tif 000014